(57)【要約】【課題】指圧の際に被施術者に温熱を与えることができ、かつ、施術者が従来と同様の感覚で被施術者に指圧を施すことができる、低コストで利用可能な指圧用サポーターを提供する。【解決手段】指圧用サポーターの本体は、カイロ保持部４０と、中指を通すための穴部を有する第１の突出部１１２と、人差し指を通すための穴部を有する第２の突出部１３２と、小指または薬指を通すための穴部を有する第３の突出部１３５と、手首に装着するためのバンド部材とカイロ保持部４０とを連結する連結部材１３８とによって構成される。第１の突出部１１２は、カイロ保持部４０の一端辺から突出するように設けられるのに対し、第２の突出部１３２および第３の突出部１３５は、カイロ保持部４０の上記一端辺を基準としてその対辺側に所定距離Ｌｘだけ離間した位置から突出するように設けられる。【選択図】図６
2013146474.tif 000002
【特許請求の範囲】
【請求項１】
手に装着されるべき指圧用サポーターであって、
平面略矩形状の部材である第１の矩形部材と第２の矩形部材とを重ね合わせ、重ね合わせた状態における４つの端辺のうちの少なくとも一組の対辺近傍で前記第１の矩形部材と前記第２の矩形部材とを接合することによりカイロを保持可能にした、平面略矩形状のカイロ保持手段と、
中指を通すための穴部を有する第１の突出部と、
人差し指を通すための穴部を有する第２の突出部と、
小指または薬指を通すための穴部を有する第３の突出部と、
手首に装着するためのバンド部材と、
前記カイロ保持手段と前記バンド部材とを連結するための連結部材と
を備え、
前記第１の突出部は、前記カイロ保持手段の一端辺の中央部から突出するように設けられ、
前記第２の突出部および前記第３の突出部は、前記カイロ保持手段の４つの端辺のうちの前記第１の突出部が設けられている一端辺を基準としてその対辺側に所定距離だけ離間した位置から突出するように設けられていることを特徴とする、指圧用サポーター。
【請求項２】
前記カイロ保持手段は、平面略矩形状の部材である第３の矩形部材を有し、
前記第３の矩形部材の一組の対辺を構成する２つの端辺をそれぞれ第１端辺，第２端辺と定義したとき、前記カイロ保持手段の４つの端辺のうちの前記第１の突出部が設けられている一端辺を基準としてその対辺側に前記所定距離だけ離間した位置において、前記第１端辺近傍が前記第２の矩形部材と接合され、前記カイロ保持手段の４つの端辺のうちの前記第１の突出部が設けられている一端辺の対辺近傍において、前記第２端辺近傍が前記第２の矩形部材と接合されていることを特徴とする、請求項１に記載の指圧用サポーター。
【請求項３】
前記第２の突出部と前記第３の突出部と前記第３の矩形部材と前記連結部材とは、１枚の面状部材で構成されていることを特徴とする、請求項２に記載の指圧用サポーター。
【請求項４】
前記第１の突出部と前記第１の矩形部材とは、１枚の面状部材で構成されていることを特徴とする、請求項３に記載の指圧用サポーター。
【請求項５】
前記バンド部材と前記連結部材とは取り外し可能に構成されていることを特徴とする、請求項１から４までのいずれか１項に記載の指圧用サポーター。
【請求項６】
前記第１の矩形部材および前記第２の矩形部材は、防水性を有するゴム系の素材からなることを特徴とする、請求項１から５までのいずれか１項に記載の指圧用サポーター。
【請求項７】
前記ゴム系の素材は、クロロプレンゴムを含むことを特徴とする、請求項６に記載の指圧用サポーター。
【請求項８】
前記第２の矩形部材には、複数の穴が形成されていることを特徴とする、請求項１から７までのいずれか１項に記載の指圧用サポーター。
【発明の詳細な説明】
【技術分野】
【０００１】
本発明は、指圧を行う者（以下、「施術者」という。）が指圧を受ける者（以下、「被施術者」という。）に温熱を与えながら指圧を施すことができるようカイロを保持可能にした、主に業務用に使用される指圧用サポーターに関する。
【背景技術】
【０００２】
指圧は、一般に、被施術者の患部（肩、腹、背中、足など）の凝りや張りをほぐすために行われる。患部の凝りや張りは血行を良くすることによってほぐされるところ、人の身体を温めると（その人の）血行が良くなることは一般に知られている。温めることによって免疫力が活発になり（活性化され）、例えば神経痛が改善される。また、血行が良くなることで、人は自身の身体の心地良さを感じる。以上のような観点から、指圧中に患部に温熱が与えられた方が指圧の効果は高まると言える。また、施術者の手の指が温かいほど、被施術者の血行は良好な状態となり、被施術者は心地良く指圧を受けることができる。例えば、我が国にはいわゆる「プロ」と呼ばれる指圧師（業として指圧を行っている専門家）が多数存在するところ、顧客（被施術者）から高い評価を得ている指圧師の手は概して温かいようである。
【０００３】
ところで、指圧は本来的に素手で行われるものである。特にプロの指圧師は、被施術者の筋肉の状態等を把握しなければならないこと、微妙な力加減を要するために柔軟な指の動きが必要となること等の理由により、従来より素手で指圧を行っている。例えば、被施術者の筋肉をほぐしたりツボを押したりすることは、（施術者の）指先を使って行われる。このため、指圧中には、被施術者の患部に直接あるいは薄い下着等を介して施術者の手の指が触れることになる。従って、気温の低い時期など施術者の手の指が冷たければ、指圧の効果は低下する。逆に、上述したように、施術者の手の指が温かいほど、患部に温熱が与えられることにより、指圧の効果は高まる。そこで、特開２００４−２４３０７９号公報には、指先部分を取り除いた左右一対の手袋状用具の掌（手のひら）側にカイロを取りつけたマッサージ用具についての発明が開示されている。このマッサージ用具によると、マッサージされる部分に温熱が与えられ、マッサージの効果が高まるとされている。
【０００４】
また、本願出願人は、指の動きが阻害されることなく本来の素手で行われるマッサージと同様のマッサージを可能ならしめるようにしたマッサージ用サポーターの発明について既に出願している（特開２００９−２７３５３６号公報を参照）。
【先行技術文献】
【特許文献】
【０００５】
【特許文献１】特開２００４−２４３０７９号公報
【特許文献２】特開２００９−２７３５３６号公報
【発明の概要】
【発明が解決しようとする課題】
【０００６】
ところが、特開２００４−２４３０７９号公報に開示されたマッサージ用具によると、施術者の指先部分以外は手袋状用具に覆われている。指圧やマッサージは一般に素手で行われるので、上述のようなマッサージ用具を装着した場合には、施術者は、柔軟な指の動きが阻害され、従来（マッサージ用具を装着していないとき）と同様の感覚で被施術者に指圧やマッサージを施すことができない。このため、被施術者に温熱は与えられるが、指圧・マッサージの効果はあまり高められない。
【０００７】
また、特開２００９−２７３５３６号公報に開示されたマッサージ用サポーターに関しては、当該マッサージ用サポーターのカイロ保持手段は三角形状であるのに対し、一般に製造販売されているカイロは四角形状であるため、当該マッサージ用サポーターに適用できる三角形状のカイロを製造するのに高コストとなる。
【０００８】
そこで、本発明は、指圧の際に被施術者に温熱を与えることができ、かつ、施術者が従来と同様の感覚で（指の動きが阻害されることなく）被施術者に指圧を施すことができる、低コストで利用可能な（主に業務用に使用される）指圧用サポーターを提供することを目的とする。
【課題を解決するための手段】
【０００９】
第１の発明は、手に装着されるべき指圧用サポーターであって、
平面略矩形状の部材である第１の矩形部材と第２の矩形部材とを重ね合わせ、重ね合わせた状態における４つの端辺のうちの少なくとも一組の対辺近傍で前記第１の矩形部材と前記第２の矩形部材とを接合することによりカイロを保持可能にした、平面略矩形状のカイロ保持手段と、
中指を通すための穴部を有する第１の突出部と、
人差し指を通すための穴部を有する第２の突出部と、
小指または薬指を通すための穴部を有する第３の突出部と、
手首に装着するためのバンド部材と、
前記カイロ保持手段と前記バンド部材とを連結するための連結部材と
を備え、
前記第１の突出部は、前記カイロ保持手段の一端辺の中央部から突出するように設けられ、
前記第２の突出部および前記第３の突出部は、前記カイロ保持手段の４つの端辺のうちの前記第１の突出部が設けられている一端辺を基準としてその対辺側に所定距離だけ離間した位置から突出するように設けられていることを特徴とする。
【００１０】
第２の発明は、第１の発明において、
前記カイロ保持手段は、平面略矩形状の部材である第３の矩形部材を有し、
前記第３の矩形部材の一組の対辺を構成する２つの端辺をそれぞれ第１端辺，第２端辺と定義したとき、前記カイロ保持手段の４つの端辺のうちの前記第１の突出部が設けられている一端辺を基準としてその対辺側に前記所定距離だけ離間した位置において、前記第１端辺近傍が前記第２の矩形部材と接合され、前記カイロ保持手段の４つの端辺のうちの前記第１の突出部が設けられている一端辺の対辺近傍において、前記第２端辺近傍が前記第２の矩形部材と接合されていることを特徴とする。
【００１１】
第３の発明は、第２の発明において、
前記第２の突出部と前記第３の突出部と前記第３の矩形部材と前記連結部材とは、１枚の面状部材で構成されていることを特徴とする。
【００１２】
第４の発明は、第３の発明において、
前記第１の突出部と前記第１の矩形部材とは、１枚の面状部材で構成されていることを特徴とする。
【００１３】
第５の発明は、第１から第４までのいずれかの発明において、
前記バンド部材と前記連結部材とは取り外し可能に構成されていることを特徴とする。
【００１４】
第６の発明は、第１から第５までのいずれかの発明において、
前記第１の矩形部材および前記第２の矩形部材は、防水性を有するゴム系の素材からなることを特徴とする。
【００１５】
第７の発明は、第６の発明において、
前記ゴム系の素材は、クロロプレンゴムを含むことを特徴とする。
【００１６】
第８の発明は、第１から第７までのいずれかの発明において、
前記第２の矩形部材には、複数の穴が形成されていることを特徴とする。
【発明の効果】
【００１７】
上記第１の発明によれば、指圧用サポーターには、中指を通す（中指に引っ掛ける）ための第１の突出部，人差し指を通す（人差し指に引っ掛ける）ための第２の突出部，および小指を通す（小指に引っ掛ける）ための第３の突出部がカイロを保持するための平面略矩形状のカイロ保持手段から突出するように設けられている。ここで、第１の突出部はカイロ保持手段の一端辺から突出するように設けられているのに対し、第２の突出部および第３の突出部はカイロ保持手段の一端辺を基準としてその対辺側に所定距離だけ離間した位置から突出するように設けられている。すなわち、第１の突出部は、第２の突出部および第３の突出部よりも所定距離だけ指先側にずれた位置から突出している。このため、第２の突出部，第３の突出部をそれぞれ人差し指，小指に引っ掛けた後に第１の突出部を中指に引っ掛けると、掌（手のひら）上におけるカイロ保持手段の位置が全体的に指先側へと移動する。これにより、指圧にとって好適な位置（掌の窪みがある位置）にカイロが配置される。このようにカイロが掌の中央に配置されることとなる構造およびカイロ保持手段の一端辺から突出する第１の突出部を中指に引っ掛けるようにする構造によって、カイロ保持手段が掌に密着する。以上より、施術者は被施術者に対して効果的に指圧を行うことが可能となる。
【００１８】
また、指先から指の付け根（第３間接部分）に至るまで、何かに覆われているということはない。このため、施術者は、被施術者の患部を直接指で揉んだり押したりすることができる。また、指圧の際に指の動きに制限を受けることもない。以上より、施術者は、被施術者に継続的に温熱を与えつつ、本来の指圧（本発明に係る指圧用サポーターを装着していない状態での指圧）と同様の感覚で被施術者に指圧を施すことが可能となる。
【００１９】
さらに、カイロ保持手段は平面略矩形状となっているため、特別な形状のカイロを製造する必要がなく、一般に製造販売されているカイロ（サイズの例：９０ｍｍ×５５ｍｍ）を用いることができる。従って、施術者は、低コストで本発明に係る指圧用サポーターを用いることができる。
【００２０】
上記第２の発明によれば、施術者が指圧を行う際、施術者の掌とカイロとの間には、第２の矩形部材に加えて第３の矩形部材が配置される。このため、掌は、２枚の矩形部材によってカイロの熱から保護される。これにより、掌がカイロの熱を過度に受けることを防止することができる。
【００２１】
上記第３の発明によれば、比較的簡易な構成で、上記第２の発明と同様の効果が得られる指圧用サポーターが実現される。
【００２２】
上記第４の発明によれば、指圧用サポーターは、バンド部材と３枚の平面部材（第１の矩形部材と第１の突出部とを含む平面部材，第２の矩形部材を含む平面部材，および第３の矩形部材と第２の突出部と第３の突出部と連結部材とを含む平面部材）のみによって構成される。従って、複雑な製造工程を要することなく、指圧用サポーターが実現される。
【００２３】
上記第５の発明によれば、指圧中にカイロの温度が不充分な温度にまで低下した際に本体を迅速に取り替えることが可能となる。
【００２４】
上記第６の発明によれば、指圧の際に施術者の手や被施術者の身体から汗が出ても、指圧用サポーターが濡れた状態となることが防止される。
【００２５】
上記第７の発明によれば、一般的に用いられている素材を用いて、上記第６の発明と同様の効果が得られる指圧用サポーターが実現される。
【００２６】
上記第８の発明によれば、指圧中に施術者の手の熱がカイロに与えられるので、カイロの温度低下が抑制される。また、施術者にとってはカイロの熱を感じやすくなるので、施術者は、カイロが指圧に好適な温度で維持されているかを確認しつつ指圧を行うことが可能となる。
【図面の簡単な説明】
【００２７】
【図１】本発明の一実施形態に係る指圧用サポーター（左手用）の概略構成を示す斜視図である。
【図２】上記実施形態における本体の分解斜視図である。
【図３】上記実施形態において、第１〜第３の平面部材の平面図である。
【図４】上記実施形態において、平面部材間の接合の仕方について説明するための図である。
【図５】上記実施形態において、カイロ保持部について説明するための図である。
【図６】上記実施形態において、本体を横から見た図である。
【図７】上記実施形態において、カイロ保持部と第１の突出部，第２の突出部，および第３の突出部との位置関係を模式的に示した図である。
【図８】上記実施形態において、本体（右手用）を第３の平面部材側から見た図である。
【図９】上記実施形態において、本体とバンド部材との結合について説明するための図である。
【図１０】上記実施形態において、指圧用サポーターの装着手順を示すフローチャートである。
【図１１】上記実施形態に係る指圧用サポーターが施術者の左手に装着された状態を手の甲側から見た図である。
【図１２】上記実施形態に係る指圧用サポーターが施術者の左手に装着された状態を掌側から見た図である。
【図１３】上記実施形態に係る指圧用サポーターの使用状態の一例を示す図である。
【図１４】上記実施形態における効果について説明するための図である。
【図１５】上記実施形態における効果について説明するための図である。
【図１６】上記実施形態における効果について説明するための図である。
【図１７】上記実施形態における効果について説明するための図である。
【図１８】上記実施形態の変形例（本体とバンド部材との結合手段がスナップボタンで実現される例）について説明するための図である。
【図１９】上記実施形態の変形例（カイロ保持部が第３の矩形部材を有さない例）について説明するための図である。
【図２０】上記実施形態の変形例（第１の矩形部材がメッシュ状部材で実現される例）について説明するための図である。
【図２１】上記実施形態の変形例（第１の突出部が第２の平面部材の一部となっている例）について説明するための図である。
【発明を実施するための形態】
【００２８】
以下、添付図面を参照しつつ本発明の一実施形態について説明する。なお、以下の説明においては、指圧用サポーターが施術者の手に装着された状態において掌（手のひら）側を向いている面がある側を裏側といい、それとは異なる面がある側（外部側）を表側という。
【００２９】
＜１．概略構成＞
図１は、本発明の一実施形態に係る指圧用サポーター（左手用）の概略構成を示す斜視図である。図１に示すように、この指圧用サポーターは、本体１０とバンド部材２０とによって構成されている。本体１０は、第１の平面部材１１，第２の平面部材１２，および第３の平面部材１３から成っている。すなわち、平面状の３枚の部材を重ね合わせることによって、この指圧用サポーターの本体１０が実現されている。バンド部材２０には、面ファスナー２１が取り付けられている。第３の平面部材１３にも面ファスナー１３９が取り付けられている（詳細は後述する）。これにより、本体１０とバンド部材２０とを結合させることが可能となっている。なお、図１では、第２の平面部材１２と第３の平面部材１３との接合部分を「ミシン目」として示しているところ、点線部分は外部から視認されない部分である。
【００３０】
各平面部材（第１の平面部材１１，第２の平面部材１２，第３の平面部材１３）の生地については、特に限定はされないが、防水性を有するゴム系の素材の生地を用いることが好ましい。典型的には、ウェットスーツの生地（クロロプレンゴム製の生地）が採用される。防水性を有する生地が好ましい理由は、指圧をしていると、施術者は手に汗をかき、また、被施術者の身体からも汗が出るからである。なお、各平面部材は、１枚の生地素材から成るものであっても良いし、複数枚の生地素材を重ね合わせてできたものであっても良い。
【００３１】
＜２．本体の構成＞
次に、図２から図８を参照しつつ、この指圧用サポーターの本体１０の詳しい構成について説明する。図２は、本体１０の分解斜視図であり、図３は、第１〜第３の平面部材１１〜１３の平面図である。第１の平面部材１１は、平面略矩形状の部材である第１の矩形部材１１０と中指を通すための穴部（以下、「第１の穴部」という。）１１３を有する第１の突出部１１２とによって構成されている。第１の突出部１１２は、図３に示すように、第１の矩形部材１１０の４つの端辺のうちの一端辺のほぼ中央部から突出するようにして設けられている。また、第１の矩形部材１１０には、いくつかの穴１１５が設けられている。第２の平面部材１２は、平面略矩形状の部材である第２の矩形部材１２０によって構成されている。第２の矩形部材１２０には、多数の穴１２１が設けられている。第３の平面部材１３は、平面略矩形状の部材である第３の矩形部材１３０と、人差し指を通すための穴部（以下、「第２の穴部」という。）１３３を有する第２の突出部１３２と、小指を通すための穴部（以下、「第３の穴部」という。）１３６を有する第３の突出部１３５と、平面略矩形状の部材であって裏側に面ファスナーが取り付けられた連結部材１３８とによって構成されている。なお、ここでは「第３の穴部」が小指を通すための穴部であるとして説明するが、本発明はこれに限定されず、「第３の穴部」が薬指を通すための穴部であっても良い。
【００３２】
図４は、平面部材間の接合の仕方について説明するための図である。第１の矩形部材１１０の符号５１で示す領域（但し裏側）と第２の矩形部材１２０の符号５２で示す領域（但し表側）とが互いに接合されている。また、第２の矩形部材１２０の符号６１で示す領域（但し裏側）と第３の矩形部材１３０の符号６２で示す領域（但し表側）とが互いに接合されている。さらに、第１の矩形部材１１０の符号７１で示す領域（但し裏側）と第２の矩形部材１２０の符号７２で示す領域（但し表側）とが互いに接合されている。さらにまた、第２の矩形部材１２０の符号７２で示す領域（但し裏側）と第３の矩形部材１３０の符号７３で示す領域（但し表側）とが互いに接合されている。平面部材間の接合方法としては、例えば縫い付けによる手法が採用されている。なお、第１の矩形部材１１０の符号７１で示す領域，第２の矩形部材１２０の符号７２で示す領域，および第３の矩形部材１３０の符号７３で示す領域については、（縫い付けなどによって）一度にまとめて接合するようにしても良い。
【００３３】
ところで、本実施形態においては、第１の矩形部材１１０，第２の矩形部材１２０，および第３の矩形部材１３０が上述のように接合することによって、図５に示すように、カイロを保持するためのカイロ保持部４０が実現されている。なお、カイロは、第１の矩形部材１１０と第２の矩形部材１２０との間の領域に保持される。カイロ保持部４０のサイズについては、一例を挙げると、「短手方向の長さＬ１は６９ｍｍ、長手方向の長さＬ２は７９ｍｍ」とされる。
【００３４】
図６は、本体１０を横から見た図である。平面部材間が上述のように接合することによって、本体１０を横から見ると図６に示すような形状となる。また、図７は、カイロ保持部４０と第１の突出部１１２，第２の突出部１３２，および第３の突出部１３５との位置関係を模式的に示した図である。図６および図７から把握されるように、第１の突出部１１２については、カイロ保持部４０の一端辺から突出するように設けられている。第２の突出部１３２および第３の突出部１３５については、カイロ保持部４０の４つの端辺のうちの第１の突出部１１２が設けられている一端辺を基準としてその対辺側に距離Ｌｘだけ離間した位置から突出するように設けられている。距離Ｌｘについては、上述のようにカイロ保持部４０のサイズが「短手方向の長さＬ１が６９ｍｍ、長手方向の長さＬ２が７９ｍｍ」（図５参照）となっているとき、例えば「１８ｍｍ」とされる。
【００３５】
図８は、右手用の本体１０を第３の平面部材１３側から見た図である。図８に示すように、第３の平面部材１３の裏側全体，第２の平面部材１２（第２の矩形部材１２０）の裏側の一部，および第１の平面部材１１の第１の突出部１１２の裏側の大半部分が、外部（本体１０の裏側）から視認される。
【００３６】
＜３．本体とバンド部材との結合＞
次に、本体１０とバンド部材２０との結合について説明する。本体１０の第３の平面部材１３には、カイロ保持部４０とバンド部材２０とを連結するための連結部材１３８が設けられおり、その連結部材１３８の裏側には、図９に示すように面ファスナー１３９が取り付けられている。また、バンド部材２０の表側の一部の領域には、図１，図９に示ように面ファスナー２１が取り付けられている。それらの面ファスナー１３９，２１のうち一方はループで、他方はフックとなっている。すなわち、第３の平面部材１３の連結部材１３８に取り付けられた面ファスナー１３９とバンド部材２０に取り付けられた面ファスナー２１とが互いに係合可能に構成されている。このような構成により、本体１０とバンド部材２０とが結合可能となっている。なお、連結部材１３８については、第１の平面部材１１または第２の平面部材１２の一部となっていても良い。
【００３７】
＜４．指圧用サポーターの装着手順＞
次に、以上のように構成された指圧用サポーターの装着手順について、図１０に示すフローチャートを参照しつつ説明する。なお、カイロは予めカイロ保持部４０に格納されているものと仮定する。施術者は、まず、バンド部材２０を手首に装着する（ステップ１０）。このとき、面ファスナー２１が掌と同じ側に配置されるようにする。次に、第３の突出部１３５に設けられている第３の穴部１３６に小指を通すとともに、第２の突出部１３２に設けられている第２の穴部１３３に人差し指を通す（ステップＳ２０）。その後、第３の平面部材１３の連結部材１３８に取り付けられている面ファスナー１３９とバンド部材２０に取り付けられている面ファスナー２１とを係合させる（ステップＳ３０）。これにより、カイロ保持部４０は連結部材１３８を介してバンド部材２０と結合された状態となる。最後に、第１の突出部１１２に設けられている第１の穴部１１３に中指を通す（ステップＳ４０）。以上のようにして、指圧用サポーターが施術者の手に装着される。
【００３８】
図１１および図１２は、この指圧用サポーターが施術者の左手に装着された状態を示す図である。なお、図１１は手の甲側から見た図であり、図１２は掌側から見た図である。施術者は、このようにして指圧用サポーターを手に装着した後、被施術者に対して例えば図１３に示すようにして指圧を行う。
【００３９】
＜５．効果＞
次に、図１４から図１７を参照しつつ、本実施形態における効果について説明する。本実施形態に係る指圧用サポーターには、中指を通す（中指に引っ掛ける）ための第１の突出部１１２と、人差し指を通す（人差し指に引っ掛ける）ための第２の突出部１３２と、小指を通す（小指に引っ掛ける）ための第３の突出部１３５とが設けられている。ここで、第１の突出部１１２はカイロ保持部４０の一端辺から突出するように設けられているのに対し、第２の突出部１３２および第３の突出部１３５はカイロ保持部４０の一端辺を基準として距離Ｌｘだけ対辺側に離間した位置から突出するように設けられている。換言すれば、第１の突出部１１２は、第２の突出部１３２および第３の突出部１３５よりも距離Ｌｘだけ指先側にずれた位置から突出している。このため、指圧用サポーターの装着の際、第１の突出部１１２を中指に引っ掛ける前においては図１４（ａ）に示すような状態になっているのが、第１の突出部１１２を中指に引っ掛けた後においては図１４（ｂ）に示すような状態となる。すなわち、第１の突出部１１２を中指に引っ掛けることによって、掌（手のひら）上におけるカイロ保持部４０の位置が全体的に指先側へと移動する。その移動距離は、例えば１２〜１４ｍｍ程度となる。また、３枚の平面部材のうち最も外側にある第１の平面部材１１の突出部（第１の突出部１１２）を中指に引っ掛けることによって、カイロ保持部４０と掌との間の空間がなくなり、カイロ保持部４０は掌に密着するようになる。このように、掌へのカイロ保持部４０の顕著な密着力が得られる。
【００４０】
以上より、図１５に示すように第２の突出部１３２および第３の突出部１３５が第１の突出部１１２と同様にカイロ保持部４０の一端辺から突出するように設けられている場合には、カイロは図１６（ａ）に示すように配置されるのに対し、本実施形態においては、カイロは図１６（ｂ）に示すように配置される。ところで、図１７（ａ）で符号８１で示すような位置（手根部に近い位置）にカイロが配置されるよりも、図１７（ｂ）で符号８２で示すような位置（掌の窪みがある位置）にカイロが配置される方が、施術者は効果的に指圧を行うことができる。以上のように、本実施形態によれば、カイロ保持部４０は掌に密着し、かつ、指圧にとって好適な位置（掌の窪みがある位置）にカイロ保持部４０が配置されることによって、施術者は被施術者に対して効果的に指圧を行うことが可能となる。
【００４１】
また、図１１〜図１３において施術者の手の指に着目すると、指先から指の付け根（第３間接部分）に至るまで、何かに覆われているということはない。このため、施術者は、被施術者の患部を直接指で揉んだり押したりすることができる。また、指圧の際に指の動きに制限を受けることもない。以上より、施術者は、被施術者に継続的に温熱を与えつつ、本来の指圧（この指圧用サポーターを装着していない状態での指圧）と同様の感覚で被施術者に指圧を施すことが可能となる。その結果、高い指圧効果が得られる。
【００４２】
さらに、本体１０のカイロ保持部４０は平面略矩形状となっている。このため、特別な形状のカイロを製造する必要がなく、一般に製造販売されているカイロ（サイズの例：９０ｍｍ×５５ｍｍ）をこの指圧用サポーターに用いることができる。従って、施術者は、低コストでこの指圧用サポーターを用いることができる。
【００４３】
以上のように、本実施形態によれば、指圧の際に被施術者に温熱を与えることができ、かつ、施術者が従来と同様の感覚で（指の動きが阻害されることなく）被施術者に指圧を施すことができる、低コストで利用可能な（主に業務用に使用される）指圧用サポーターが実現される。
【００４４】
ところで、本実施形態においては、第１の矩形部材１１０にはいくつかの穴１１５が設けられている（図３参照）。このような構成により、カイロの熱が効果的に被施術者に与えられる。また、第２の矩形部材１２０には多数の穴１２１が設けられている（図３参照）。このような穴が設けられていることにより、（第３の矩形部材１３０を介して）施術者の手の温かさ（熱）がカイロに与えられる。これにより、カイロの温度が低下することを抑制することができる。また、施術者にとってはカイロの温かさ（熱）を感じやすくなるので、施術者は、カイロが指圧に好適な温度で維持されているかを確認しつつ指圧を行うことが可能となる。
【００４５】
また、本実施形態によれば、掌とカイロとの間には第２の矩形部材１２０と第３の矩形部材１３０とが配置されることとなる。すなわち、掌は、２枚の平面部材によってカイロの熱から保護される。このため、掌がカイロの熱を過度に受けることを防止することができる。
【００４６】
さらに、本実施形態に係る指圧用サポーターは、手首に装着するためのバンド部材２０に本体１０を結合させることができるように構成されている。このため、指圧用サポーターが施術者の手に装着された状態において、高い安定性が確保される。これにより、指圧中にこの指圧用サポーターが施術者の手からずれることが抑制される。また、本体１０とバンド部材２０とは取り外し可能に構成されている。このため、指圧中に本体１０を迅速に取り替えることが可能となる。なお、本体１０を取り替える必要がある理由は、指圧中にカイロの温度は徐々に低下する（一般的なカイロでは１５分程度で不充分な温度にまで低下する）からである。
【００４７】
＜６．変形例＞
以下、上記実施形態の変形例について説明する。
【００４８】
＜６．１  本体とバンド部材との結合手段について＞
上記実施形態においては、本体１０とバンド部材２０との結合手段として、第３の平面部材１３の連結部材１３８とバンド部材２０とに面ファスナー１３９，２１（図９参照）が設けられているが、本発明はこれに限定されない。例えば、図１８に示すように、第３の平面部材１３の連結部材１３８にスナップボタンの雄部材４２を設け、バンド部材２０にスナップボタンの雌部材４３を設ける構成にしても良い（雄部材と雌部材とが逆であっても良い）。
【００４９】
＜６．２  カイロ保持部の構成について＞
上記実施形態においては、カイロ保持部４０には第１の矩形部材１１０，第２の矩形部材１２０，および第３の矩形部材１３０が含まれているが、本発明はこれに限定されない。図１９に示すように、図６に示した構成（上記実施形態における構成）から第３の矩形部材１３０を取り除いた構成（カイロ保持部４０が第３の矩形部材１３０を有さない構成）にしても良い。但し、この場合、掌とカイロとの間には１枚の矩形部材（第２の矩形部材１２０）のみが存在する構成となるので、施術者の掌をカイロの熱から保護するという観点では、上記実施形態と比較して劣ることになる。なお、本構成の場合、連結部材１２８は例えば第２の平面部材１２に設けられる。
【００５０】
ここで、カイロ保持部４０の最小構成を説明する。カイロ保持部４０は、平面略矩形状の部材である第１の矩形部材１１０と第２の矩形部材１２０とを重ね合わせ、重ね合わせた状態における４つの端辺のうちの少なくとも一組の対辺近傍で第１の矩形部材１１０と第２の矩形部材１２０とを接合することによりカイロを保持可能にした、平面略矩形状のものである。
【００５１】
＜６．３  第１の矩形部材について＞
上記実施形態においては、第１の矩形部材１１０は図３に示すような構成となっているが、本発明はこれに限定されない。例えば、第１の矩形部材１１０は、図２０に示すようなメッシュ状部材であっても良い。但し、この場合、カイロと外部の空気とが直接的に接する面積が大きくなるので、上記実施形態と比較して、カイロが短時間で冷たくなる。従って、カイロの温度を長時間高い温度で保つという観点では、上記実施形態のようにカイロと外部の空気とが接する面積が小さくなるような部材が第１の矩形部材１１０として採用される方が好ましい。
【００５２】
＜６．４  第１の突出部について＞
上記実施形態においては、第１の突出部１１２は第１の平面部材１１の一部となっているが、本発明はこれに限定されない。図２１に示すように、中指を通すための穴部１２３を備える第１の突出部１２２が第２の平面部材１２の一部となっている構成であっても良い。すなわち、中指を通すための穴部（第１の穴部）を有する第１の突出部については、第１の矩形部材１１０の一端辺の中央部から突出するように設けられていても良いし、第２の矩形部材１２０の一端辺の中央部から突出するように設けられていても良い。
【００５３】
＜７．従来技術との対比＞
最後に、本発明と従来技術との相違点、当該相違点に基づく本発明の有利な効果について説明する。特開２００４−２４３０７９号公報に開示されたマッサージ用具によると、施術者の指先部分以外は手袋状用具に覆われている。マッサージは一般に素手で行われるので、上述のようなマッサージ用具を装着した場合には、施術者は、柔軟な指の動きが阻害され、従来（マッサージ用具を装着していないとき）と同様の感覚で被施術者にマッサージを施すことができない。このため、被施術者に温熱は与えられるが、マッサージの効果はあまり高められない（指圧についても同様）。これに対して、本発明に係る指圧用サポーターによれば、施術者の指先が布などで覆われることはないので、施術者が従来と同様の感覚で（指の動きが阻害されることなく）被施術者に指圧を施すことができる。また、本発明に係る指圧用サポーターによれば、掌内の好適な位置（掌の窪みがある位置）にカイロが安定して配置される（掌に密着する）ので、施術者は効果的に指圧を行うことができる。
【００５４】
また、特開２００９−２７３５３６号公報に開示されたマッサージ用サポーターにおいては、三角形状のカイロが必要となる。三角形状のカイロは一般的なものではないため製造コストが高くなる。また、カイロを三角形状にして掌内に収まるようにすると、カイロが小さくなりすぎるため温度が上がらず効果が得られない。これに対して、本発明に係る指圧用サポーターにおいては、カイロ保持部が矩形状になっているため、一般に製造販売されているカイロ（サイズの例：９０ｍｍ×５５ｍｍ）を用いることができ、低コストとなる。また、カイロは温熱効果が得られる充分な大きさとなり、例えば６５〜７０度の温度が７時間程度維持される。
【符号の説明】
【００５５】
１１…第１の平面部材
１２…第２の平面部材
１３…第３の平面部材
２０…バンド部材
２１…面ファスナー
４０…カイロ保持部
１１０…第１の矩形部材
１１２…第１の突出部
１２０…第２の矩形部材
１３０…第３の矩形部材
１３２…第２の突出部
１３５…第３の突出部
１３８…連結部材
１３９…面ファスナー
【図１】
2013146474.tif 000003
【図２】
2013146474.tif 000004
【図３】
2013146474.tif 000005
【図４】
2013146474.tif 000006
【図５】
2013146474.tif 000007
【図６】
2013146474.tif 000008
【図７】
2013146474.tif 000009
【図８】
2013146474.tif 000010
【図９】
2013146474.tif 000011
【図１０】
2013146474.tif 000012
【図１１】
2013146474.tif 000013
【図１２】
2013146474.tif 000014
【図１３】
2013146474.tif 000015
【図１４】
2013146474.tif 000016
【図１５】
2013146474.tif 000017
【図１６】
2013146474.tif 000018
【図１７】
2013146474.tif 000019
【図１８】
2013146474.tif 000020
【図１９】
2013146474.tif 000021
【図２０】
2013146474.tif 000022
【図２１】
2013146474.tif 000023